(57)【特許請求の範囲】
【請求項１】
投入口から投入された材料を収容する収容空間を有する有底筒状のゴム製の本体が備えられ、その本体の手もみ部位の内壁部に、内向きに突出した第１突起部と、該第１突起部よりも突出量が小さな第２突起部とが形成されている調理具。
【請求項２】
前記第１突起部と前記第２突起部とが前記内壁部に交互に配置されている請求項１に記載の調理具。
【請求項３】
前記本体には、前記収容空間と前記投入口の間に平面視での断面積が縮小された絞り部が備えられ、該絞り部と前記投入口の間は前記投入口側ほど平面視での断面積が広くなるラッパ形状に形成されるとともに、前記投入口はその上端縁部が前記本体の他の部位よりも厚みを厚くされることにより開口状態に保形されている請求項１または請求項２に記載の調理具。
【発明の詳細な説明】
【技術分野】
【０００１】
本発明は、材料を潰して調理物を作るための調理具に関する。
【背景技術】
【０００２】
上記の調理具として、材料をすり潰してジュース等の調理物を作る電動式のジューサーが知られている（例えば、特許文献１参照。）。このジューサーは、本体部に着脱自在な容器と、その容器内で回転駆動自在なカッターと、その容器の上部開口を閉塞する蓋体とを有し、果実等の材料を容器内に投入してカッターを回転駆動させてジュースを作る。
【０００３】
また、最近、ビニール袋を調理具として用いてジュースを作る方法も知られている。果実等の固形材料に加えて、牛乳等の液体材料もビニール袋内に投入し、そのビニール袋の上部開口を封止し、使用者がビニール袋の外側から材料を揉むことで、材料を揉み潰してジュースを作る。
【先行技術文献】
【特許文献】
【０００４】
【特許文献１】特開２００８−２８９５３０号公報
【発明の概要】
【発明が解決しようとする課題】
【０００５】
上述の如く、ビニール袋を用いる方法では、電動式のジューサーを使用しなくてもよく、気軽に且つ簡易に材料を揉み潰して、少し果肉が残る程度の所望の潰し具合のジュース等の調理物を作れるというメリットがある。しかしながら、ビニール袋に入った材料を使用者の手によって揉み潰すだけであるので、材料を所望の状態まで揉み潰すのに時間がかかったり、使用者の力の入れ具合によっては、材料を所望の状態まで十分に揉み潰せない場合もある。
【０００６】
この実情に鑑み、本発明の主たる課題は、材料を短時間で所望の状態まで適切に揉み潰すことができながら、気軽に且つ簡易にジュース等の調理物を作ることができる調理具を提供する点にある。
【課題を解決するための手段】
【０００７】
本発明の第１特徴構成は、投入口から投入された調理材料を収容する収容空間を有する有底筒状のゴム製の本体が備えられ、その本体の手もみ部位の内壁部に、内向きに突出した第１突起部と、該第１突起部よりも突出量が小さな第２突起部とが形成されている点にある。また、本発明の第２特徴構成は、前記第１突起部と前記第２突起部とが前記内壁部に交互に配置されている点にある。
【０００８】
本特徴構成によれば、使用者が、本体の投入口から投入した材料を収容空間に収容した状態で、本体の外側から収容空間に収容された材料を揉むことで、材料を揉み潰してジュース等の調理物を作ることができる。このように、本体を用いるだけで、気軽に且つ簡易にジュース等の調理物を作ることができる。収容空間に収容された材料を揉む際に、第１突起部及び第２突起部を形成された本体の内壁部が材料に接触するので、その第１突起部及び第２突起部によって材料を効果的に潰すことができ、材料を短時間で所望の状態まで適切に揉み潰すことができる。特に、突出量の大きな第１突起部が固形材料に突き刺さって保持することで、固形材料を細かく潰すことができ、所望の潰し具合まで適切に固形材料を潰すことができる。本体は、ゴム製で耐久性を有するので、本体を繰り返し使用することができ、経済的にも有用である。
【０００９】
また、本特徴構成によれば、材料を揉む際にその材料に接触するのが手もみ部位であるので、その手もみ部位の内壁部に第１突起部及び第２突起部を設けることで、手もみ部位の第１突起部及び第２突起部を材料に確実に接触させて、材料を効果的に潰せるという効果を適切に得られる。このように、手もみ部位に第１突起部及び第２突起部を設けることで、上述の効果を得られるので、手もみ部位以外の部位には第１突起部及び第２突起部を設ける必要がなく、本体の構成の簡素化を図ることができる。
【００１０】
本発明の第３特徴構成は、前記本体には、前記収容空間と前記投入口の間に断面積が縮小された絞り部が備えられ、該絞り部と前記投入口の間は前記投入口側ほど平面視での断面積が広くなるラッパ形状に形成されるとともに、前記投入口はその上端縁部が前記本体の他の部位よりも厚みを厚くされることにより開口状態に保形されている点にある。
【００１１】
本特徴構成によれば、収容空間と投入口の間の絞り部は、断面積が縮小されているので、その絞り部を封止箇所とすることで、収容空間に材料を収容させた状態でその収容空間を適切に封止することができる。また、該絞り部と前記投入口の間は前記投入口側ほど平面視での断面積が広くなるラッパ形状に形成されるとともに、前記投入口はその上端縁部が前記本体の他の部位よりも厚みを厚くされることにより開口状態に保形されているので、投入口から材料を投入する作業を行い易く、より簡易に調理物を作ることができる。
【図面の簡単な説明】
【００１２】
【図１】本発明の参考となる実施形態における調理具の全体を示す斜視図
【図２】本発明の参考となる実施形態における調理具の平面図及び側面図
【図３】本発明の参考となる実施形態における調理具の要部の断面図
【図４】本発明の参考となる実施形態における調理具を用いてジュース等の調理物を作る工程を示す図
【図５】本発明の実施形態における調理具の平面図及び側面図
【図６】本発明の実施形態における調理具の要部の断面図
【図７】本発明の参考となる実施形態における調理具の平面図及び側面図
【図８】本発明の参考となる実施形態における調理具の要部の断面図
【発明を実施するための形態】
【００１３】
本発明に係る調理具の実施形態を図面に基づいて説明する。
（参考実施形態）
この調理具１００は、例えば、果実や野菜等の固形材料と水や牛乳等の液体材料との材料から、ジュース等の調理物を作るために用いている。
【００１４】
調理具１００は、図１及び図２に示すように、投入口１から投入される材料を収容する収容空間２を有する有底筒状の本体３が備えられている。この本体３は、例えば、シリコンゴム等のゴム製で、透明又は半透明に構成されている。本体３は、投入口１から下方側に一連に延びる中空空間を有する縦長の袋状に形成されており、その上方側から、投入口１、絞り部４、収容空間２の順に備えている。
【００１５】
投入口１は、平面視で円形状の開口であり、上端縁部側ほど断面積を広げたラッパ形状に形成され、その横断面の面積を絞り部４及び収容空間２よりも拡大して、材料を投入するのに十分な開口面積を有している。絞り部４は、平面視で本体３の左右幅方向に長い長円形状に形成され、その横断面の面積が投入口１及び収容空間２よりも縮小されている。収容空間２は、平面視で左右幅方向に長い長円形状に形成され、その横断面の面積が絞り部４よりも本体３の左右幅方向に拡大している。このように、本体３は、その平面視での形状及び横断面の面積を変更させて、投入口１、絞り部４、収容空間２を一体的に形成している。
【００１６】
投入口１は、その上端縁部１ａが他の部位よりも厚みを厚くしており、その厚みによって投入口１を開口させる状態に保形している。これにより、本体３は、材料を投入するのに十分な開口面積を有する開口姿勢に投入口１を姿勢維持可能に構成されている。
【００１７】
投入口１には、その上端縁部１ａの周方向の１箇所を外方側に広げた注ぎ口８が形成され、この注ぎ口８を利用して収容空間２に作られたジュースをコップ等に注いでいる。注ぎ口８は、本体３の左右幅方向の一端部に相当する箇所に配置されている。
【００１８】
収容空間２は、上下方向で絞り部４から本体３の底部までの中空空間の全体を収容空間２としており、材料を収容する十分な容量が確保されている。収容空間２は、対向する内壁面部の間の距離が短い組と長い組の２組の内壁面部にて収容空間２の側部が囲まれている。
【００１９】
本体３の内壁部のうち、手もみ部位５に内方側に突出する突起部６が形成され、その手もみ部位５が凹凸形状に形成されている。手もみ部位５は、収容空間２の下方側領域であり、使用者が本体３を手で揉むときに触れる部位に相当している。突起部６は、本体３の内方側に突出する尖頭状に形成されており、この実施形態では、図３に示すように、その断面形状が三角錐状に形成されている。突起部６は、図１及び図２に示すように、本体３の上下方向及び周方向に間隔を隔てて手もみ部位５の全体に亘って複数備えられている。突起部６は、本体３の上下方向に一定間隔を隔てて複数の突起部６を並べた列を、本体３の周方向に複数並べた複数列状とし、本体３の周方向で隣接する列の突起部６同士が上下方向で異なる位置に配置されている。
【００２０】
本体３には、収容空間２への材料の収容量の上限を表す目印部７が備えられている。目印部７は、本体３の外壁部を外方側に突出させた突出部位にて形成されている。その突出部位は、本体３の周方向の全周に亘って一連に存在しており、本体３の周方向の全周に亘る直線状の目印部７が形成されている。
【００２１】
ここで、本体３の上下方向の長さ、及び、本体３の形状等を変更することで、収容空間２の収容量の上限を適宜変更することができる。また、収容空間２の収容量の上限をどのような量に設定するかは適宜変更が可能である。
【００２２】
以下、この調理具１００を用いたジュースの作り方について図４に基づいて説明する。
まず、図４（ａ）の矢印にて示すように、果物等の固形材料及び牛乳等の液体材料を本体３の投入口１から収容空間２に投入して、収容空間２に各種の材料を収容させる。このとき、本体３は、開口姿勢に投入口１を姿勢維持しているので、材料を外部に溢すことなく、簡易に材料を投入口１に投入することができる。ちなみに、液体材料については、固形材料と同時に投入しなくても、固形材料を揉み潰した後に投入することもできる。
【００２３】
投入口１から材料を投入する際には、図４（ａ）に示すように、有底筒状の容器１０に本体３を挿入することで、投入口１を開口姿勢に維持した状態で本体３を起立姿勢に保持できる。これにより、使用者が本体３を手で持たなくてもよく、投入作業の簡素化を図ることができる。例えば、容器１０の開口縁部に投入口１の上端縁部１ａを折り返して引っ掛けておくことで、投入口１の開口面積をより広げた開口姿勢とすることもできる。この場合、上端縁部１ａの厚みを厚くしているので、容器１０の開口縁部に引っ掛けた状態を適切に維持できる。ちなみに、容器１０としては、その容器１０に本体３を挿入することで、本体３を起立姿勢に保持できるものであればよく、例えば、作ったジュースを注ぐコップ等を用いることもできる。また、この容器１０を使用しなくても、使用者が本体３の絞り部４等を手で持つことで、投入口１を開口姿勢に維持した状態で本体３を起立姿勢に保持することもできる。
【００２４】
本体３は透明又は半透明であり、本体３には目印部７が備えられているので、その目印部７よりも上方側に材料が溢れないように材料を投入して、収容空間２への材料の投入量をその収容量の上限未満に抑えている。
【００２５】
次に、図４（ｂ）に示すように、絞り部４にクリップ状の封止具９を取り付けて、収容空間２の上端部を封止する。絞り部４は、横断面の面積が縮小されているので、封止具９の取り付けが行い易く、収容空間２に材料を収容させた状態でその収容空間２を適切に封止できる。
【００２６】
本体３の外側から収容空間２に収容された固形材料を揉むことで、その固形材料を揉み潰す。固形材料を揉み潰す際には、手もみ部位５に突起部６が形成されているので、この突起部６によって固形材料を細かく潰すことができ、固形材料を所望の状態に短時間で揉み潰すことができる。また、手もみ部位５は、対向する内壁面部の間の距離が短い組と長い組の２組の内壁面部からなり、距離が短い組の方が本体３の左右幅方向に延びる幅広となっているので、その幅広の対向する内壁面部同士が接触するように揉み易くなっている。よって、幅広の対向する内壁面部の突起部６を固形材料に適切に接触させることができ、固形材料をより細かく揉み潰すことができる。
【００２７】
固形材料の果肉が少し残る程度等、所望の潰し具合に揉み潰して収容空間２にジュースを作ると、図４（ｃ）に示すように、投入口１が下方側を向くように本体３を傾けて、収容空間２のジュースを注ぎ口８からコップ１１に注ぐことができる。
【００２８】
このようにして、本体３を用いるだけで、気軽に且つ簡易にジュースを作ることができる。本体３は、ゴム製で耐久性を有するので、例えば、本体３の内壁部が外側になるように裏返してその内壁部を洗うだけで、何度も繰り返し使用することができる。本体３は、例えば、シリコンゴムにて構成されているので、その強度も高く、耐冷性及び耐熱性があり、本体３を冷蔵庫に収納する又は本体３を冷凍できるとともに、本体３を電子レンジ等で加熱調理することもできる。
【００２９】
（本実施形態）
本実施形態は、先の参考実施形態における投入口１の形状、突起部６の形状、及び、目印部７の構成についての別実施形態であり、図５及び図６に基づいて説明する。先の参考実施形態と同様の構成については、同符号を記す等により、その説明は省略する。
【００３０】
本実施形態における投入口１は、図５に示すように、平面視で本体３の左右幅方向に長い長円形状に形成され、本体３は、その全体が平面視で本体３の左右幅方向に長い長円形状に形成され、その上方側から、投入口１、絞り部４、収容空間２の順に備えている。
【００３１】
本実施形態における突起部６は、図６に示すように、その断面形状が円弧状に突出する形状に形成してあり、第１突起部６ａとその第１突起部６ａよりも突出量の小さい第２突起部６ｂの２種類が備えられている。第１突起部６ａも第２突起部６ｂも、本体３の周方向に一定の間隔を隔てて複数備えられ、上下方向で第１突起部６ａと第２突起部６ｂとが交互に存在する状態で配置されている。このようにして、手もみ部位５の全体に亘って複数の突起部６が備えられている。突起部６の形状は、第１実施形態にて示した三角錐形状、第２実施形態にて示した円弧状に突出する形状の他にも各種の形状を適用することができる。
【００３２】
本実施形態における目印部７は、本体３の外壁部を外方側に突出させた突出部位にて形成されており、その突出部位を本体３の周方向の一部だけに存在させている。本体３は、平面視で本体３の左右幅方向に長い長円形状に形成されていることから、対向する対向面のうち、幅広の対向面に相当する外壁部の中央部に目印部７が配置されている。これにより、目印部７を本体３の周方向の一部だけに形成しても、投入口１から材料を投入する際に、使用者が目印部７を容易に確認することができる。
【００３３】
ここで、先の参考実施形態及び本実施形態では、本体３の外壁部に目印部７を備えているが、本体３の内壁部に目印部７を備えることもできる。例えば、本体３を透明又は半透明以外の色とした場合に、本体３の内部を視認しながら材料を投入することで、目印部７を超えないように材料を投入することができる。
【００３４】
（参考実施形態）
この参考実施形態は、先の参考実施形態における本体３の形状等についての別実施形態であり、図７及び図８に基づいて説明する。先の参考実施形態と同様の構成については、同符号を記す等により、その説明は省略する。
【００３５】
この参考実施形態における本体３は、図７に示すように、その全体が平面視で左右幅方向に長い長円形状に形成されている。この本体３は、絞り部４を備えておらず、同一の断面積を有する中空空間が本体３の上端部から底部まで連なる簡易な形状に形成されている。ちなみに、この本体３には、目印部７も備えられていない。
【００３６】
この参考実施形態における突起部６は、図８に示すように、その断面形状が頂上部を丸めた角丸円錐状に形成してあり、本体３の上下方向及び左右幅方向に間隔を隔てて複数備えられている。手もみ部位５は、本体３の対向する内壁面部の間の距離が短い組と長い組の２組の内壁面部からなり、距離が短い組の方が本体３の左右幅方向に延びる幅広となっているので、その幅広の対向する内壁面部同士が接触するように揉み易くなっている。そこで、突起部６は、本体３の周方向の全周に亘って備えずに、手もみ部位５を構成する幅広の対向する内壁面部５ａのみに備えている。これにより、使用者の手もみによって固形材料に接触する幅広の対向する内壁面部５ａのみに突起部６を備えることができ、その突起部６による細かく潰すという効果を適切に得ながら、突起部６の数を少なくしてコストの低減を図ることができる。
【００３７】
上述の如く、この本体３には、絞り部４が備えられておらず、代わりに、絞り部４に相当する箇所に封止部１２が備えられている。この封止部１２は、収容空間２に材料を収容した状態で使用者が手で持つことにより収容空間２の上端部を封止する箇所となっている。封止部１２は、他の部位よりも厚みを薄くした部位を本体３の周方向に間隔を隔てて複数備えて構成されている。これにより、封止部１２は、他の部位よりもやわらかく、使用者が握るだけで、収容空間２の上端部の封止を簡単に且つ適切に行える。
【００３８】
〔別実施形態〕
（１）本実施形態では、第１突起部６ａ及び第２突起部６ｂを手もみ部位５だけに備えているが、例えば、本体３の内壁部の全体に第１突起部６ａ及び第２突起部６ｂを備えることもできる。
【００３９】
（２）上記した各実施形態において、複数の第１突起部６ａ及び第２突起部６ｂの配置位置及び間隔については適宜変更が可能である。また、本実施形態では、突出量の異なる第１突起部６ａと第２突起部６ｂを上下方向で交互に存在させているが、例えば、収容空間２の上方側領域に相当する突起部と下方側領域に相当する突起部とで、その突出量や形状を変更させることもできる。
【００４０】
（３）上記実施形態では、第１突起部６ａ及び第２突起部６ｂを備えることで、本体３の内壁部を凹凸形状としている。
【００４１】
（４）上記参考実施形態及び本実施形態において、絞り部４を備えなくてもよい。
【００４２】
（５）上記実施形態では、調理具１００を用いて、果実や野菜等の固形材料と水や牛乳等の液体材料との材料からジュース等の調理物を作っているが、他の材料を揉み潰して各種の調理物を得るために、調理具１００を用いることもできる。
【符号の説明】
【００４３】
１          投入口
１ａ        上端縁部
２          収容空間
３          本体
４          絞り部
５          手もみ部位
６ａ        第１突起部
６ｂ        第２突起部
【図１】
0006421918.tif 000002
【図２】
0006421918.tif 000003
【図３】
0006421918.tif 000004
【図４】
0006421918.tif 000005
【図５】
0006421918.tif 000006
【図６】
0006421918.tif 000007
【図７】
0006421918.tif 000008
【図８】
0006421918.tif 000009